(57)【要約】  信頼の置けないピアツーピア環境での個人情報の漸次交換方法。好ましくはグラフィカル表示として用意された情報を複数の個々の部分に分解し、次にこれらをコミュニケーションパートナー相互間で交互に交換する。
2007523510.tif 000002
【特許請求の範囲】
【請求項１】
信頼の置けないピアツーピア環境でのステップバイステップ操作による個人情報の交換方法であって、前記個人情報を幾つかの独立した部分に分解し、次にこれら独立部分を少なくとも２人のコミュニケーションパートナー相互間においてステップバイステップで相互に交換する、方法。
【請求項２】
前記情報は、セグメント化及び送信前にグラフィックス表示に変換されることを特徴とする請求項１に記載の方法。
【請求項３】
前記セグメント化及び情報交換は、各情報ユニットがそれ自体ユーザに認識可能な情報提供を可能にするような仕方で生じることを特徴とする請求項１又は２に記載の方法。
【請求項４】
前記情報の前記グラフィックス表示は、ｎ×ｍ個のフィールドのマトリックスが形成されるよう行及び列の状態に分割されることを特徴とする請求項２に記載の方法。
【請求項５】
前記マトリックスのグリッドは、前記情報のセグメント化前に前記コミュニケーションパートナーの同意を受けることを特徴とする請求項４に記載の方法。
【請求項６】
前記マトリックスの前記グリッドは、標準化されることを特徴とする請求項４に記載の方法。
【請求項７】
各情報断片は、前記情報にアタッチされたマトリックス中にその位置を有することを特徴とする請求項４〜６のうちいずれか一に記載の方法。
【請求項８】
前記情報交換は、いつでもいずれかのパートナーによって打ち切り可能であることを特徴とする請求項１〜７のうちいずれか一に記載の方法。
【請求項９】
まだ送信されていない前記情報部分は常に、いつでも１ステップで送信可能であることを特徴とする請求項１〜８のうちいずれか一に記載の方法。
【発明の詳細な説明】
【開示の内容】
【０００１】
公共の施設又は公共の場所では、無線ネットワークにより他の人たちと連絡する可能性が増大している。特に、所謂ピアツーピア型ネットワークでは、相互識別が必要である場合が多い。典型的なモデルは、例えば、空港のラウンジでの同じ趣味を持った人たちとの連絡の段取りである。例えばＰＤＡ（パームトップ型コンピュータ）又はスマートフォン（インターネットにより使用可能な携帯機器）のようなモバイル装置により、かかる人たちを短距離無線リンク（例えば、ブルートゥース（Bluetooth）又はＩＥＥＥ８０２．１１ワイヤレスＬＡＮ）により識別し、個人情報を相互に交換することが可能である。現時点において、データを交換したいと思っている２人の人のうち一方は、前払いし、まず最初に自分の個人データを他方の人に送信しなければならない。これらの人たちの間にはまだ信頼の絆が無いので、その人は、他方の人が自分のデータを受け取るというリスクを冒す反面、その他方の人の個人データを明らかにする（暴露する）というリスクもある。このリスクを制限する可能性は、個人プロフィールの詳細をステップバイステップ操作でのみ明らかにすることである。この目的のため、モバイル装置は、コミュニケーションパートナーに応じてフラグ付きの詳細度で適合可能なパーソナルユーザプロフィールを作成する可能性を与える場合が多い。しかしながら、基本的な情報の一方的な暴露のリスクは、相変わらず存在する。
【０００２】
かくして、本発明は、改善策を提供しようとするものである。本発明の目的は、信頼の置けないピアツーピア環境での個人情報のステップバイステップ交換のための方法であって、２人のコミュニケーションパートナーにバランスのとれたリスクの広がりを保証する方法を提供することにある。本発明によれば、この目的は、個人情報を幾つかの独立した部分に分解し、次にこれら独立部分を少なくとも２人のコミュニケーションパートナー相互間においてステップバイステップで相互に交換することによって達成される。
【０００３】
本発明は、信頼の置けないピアツーピア環境での個人情報のステップバイステップ交換のための方法を提供する。情報の独立部分の相互交換により、これら部分は、２人のコミュニケーションパートナーにより等しく１つのコンテキストにマージするようになる。
【０００４】
本発明の別の特徴では、情報のテキスト表示は、セグメント化前にグラフィックス表示に変換される。その結果、情報のシステム独立可読性が、個々の部分の合成後に保証される。さらに、アルゴリズムを用いる方法による欠けた情報部分の突き止めは、阻止される。
【０００５】
本発明の実施形態では、セグメント化及び情報交換は、各情報ユニットがそれ自体ユーザに認識可能な情報提供を可能にするような仕方で生じる。これにより、受信者によって受け取られた部分情報の評価が可能になり、その結果、バランスのとれた情報交換が促進される。
【０００６】
好ましくは、情報のグラフィックス表示は、ｎ×ｍ個のフィールドのマトリックスが形成されるようｎ行及びｍ列の状態に分割される。これにより、グラフィック図形による個々の部分の組合せを、訳の分からないものにすることができる。
【０００７】
マトリックスのグリッドは、情報のセグメント化前にコミュニケーションパートナーの同意を受けると有利である。その結果、情報セグメント化が両方のページ上で均質に生じ、従って、交換プロセスの整合が取られるようになっている。さらに、ステップバイステップで組み合わされた情報の視覚化が容易になる。
【０００８】
好ましくは、マトリックスのグリッドは、標準化される。この結果、グリッドに関する事前同意は不要であり、従って、情報交換が加速されるようになる。
【０００９】
本発明の別の特徴では、各情報断片は、情報にアタッチされたマトリックス中にその位置を有する。この結果、全情報の合成が単純化される。
【００１０】
本発明の実施形態では、いずれかのパートナーは情報交換をいつでも打ち切ることができる。その結果、各パートナーは、例えばマージ中の情報断片の情報内容がひどく異なっている場合、自分の個人情報の送信を中止することができる。
【００１１】
本発明の別の実施形態では、まだ送信されていない情報部分を常に、いつでも１ステップで送信できる。これにより、いつでも情報交換の促進が可能になる。
【００１２】
本発明の更に別の実施形態及び設計例は、従属形式の請求項に記載されている。本発明の実施形態の一例は、図面に記載されており、以下これについて詳細に説明する。
【００１３】
図１の応用例では、ＡとＢは、個人情報の相互交換に同意している。まず最初に、ＡはＢに、全ピクチャが何サイズ（画素幅／高さ）であるか、ＢによりＡに何が送られるべきかを伝える。Ｂはこれを同じように行う。全ピクチャの画素グリッドの定義に続き、ＡとＢは、それぞれのピクチャを分割すべき行（ｎ）及び列（ｍ）の数について同意する。この定義されたデータに基づき、ついに、グラフィックス表示へのそれぞれの情報の変換が、ＡとＢで行われる。データが例えばＸＭＬの状態で存在している場合、ＸＳＬスタイルシートによって、ＨＴＭＬ文書を作成することができ、このＨＴＭＬ文書は、ウェブブラウザによって表示できる。次いで、作成したグラフィックス表示をｎ行及びｍ列の状態に分割し、ｎ×ｍのフィールドを備えたマトリックス（行列）が結果的に生じるようにする。かくして、ｎ×ｍフィールドが明確に定義される。これらフィールドを通常のイメージフォーマット（ＪＰＥＧ、ＧＩＦ又はこれらに類似した形式）の状態に保管するのがよい。Ａは次に、フィールドを選択し、このフィールドに適当な行及び列の番号の指定を付けてＢに送ることを行う。Ｂは、このフィールドを受け取り、これをマトリックス中の正しい位置に配置し、これをディスプレイ上に表示する。次に、Ｂは、このフィールドをＡに送り、このフィールドは、Ａからちょうど受け取ったフィールドと同じ位置にある。Ａは、このフィールドを受け取り、このフィールドをマトリックス中の正しい位置に配置し、これをディスプレイ上に表示する。次に、このパターンに従って、残りのフィールドの交換が、同様な仕方で起こる。ＡとＢには、この方法を時期尚早に終了させ、かくして、情報交換を打ち切る選択肢が常に存在する。一方のユーザは自分が他方のユーザを信頼できるという印象を持った場合、交換プロセスにおける任意の時点で、そのユーザは、プロセスを促進するためにイメージの残りを一ステップで交換する申し出を行うことができる。他方の人がこれに同意した場合、両人は、まだ残っているフィールドを一ステップでそれぞれ他方の人に送る。
【００１４】
図２〜図７の応用例では、２人のユーザであるペーターとベラの視点から、この方法が例示的に明確化されている。個人情報から得られたイメージ又は画像は、３００×３００画素の解像度を有し、７×６個のフィールドに分割されている。したがって、それぞれ他方のユーザがイメージを完全に見ることができるまで４２個のフィールドが全て送られるべきである。２人のユーザは、表示の９個のフィールドの交換後ではコヒーレントな情報を依然として推測することができないが（図４を比較参照）、既に２４個のイメージの交換後では、部分情報、例えば体格又は髪の毛の色を推定できる（図５を比較参照のこと）。既に３７個のフィールドの交換後では（図６を比較参照のこと）、相当多くの情報が交換され、例えば、ここでは、交換プロセスの促進のための残りのフィールドの送信が考えられる。４２個全てのフィールドを交換した場合、ユーザであるペーターとベラはこの場合、それぞれの相手の完全な個人情報を有する（図７を比較参照のこと）。この応用例における情報の構造化は、任意的に選択されているが、当然のことながら、任意他の構造が可能である。同様な仕方で、パーソナルイメージ又は技術的な図面なども又、交換できる。この方法は、何ら修正を施すことなく交換されるべき情報が利用可能な任意のデータフォーマットについて利用できる。受信者は、データがどのようにユーザに提供されるかについて心配する必要はない。というのは、送信者は、再現される必要があるだけのイメージを送っているからである。ユーザは、送られた情報が自分にとって関心のあるものであるかどうかに即座に気が付く。（生のデータの場合、これは、発見するのがその人にとっては実質的に困難であり、必要ならば、その人は、データが完全に送られるまで待たなければならない。）その結果、早い時点で情報交換を打ち切ることが可能であり、従って、ユーザは、返礼としてサービス無しでは個人データを明らかにすることがないようになる。ユーザは、いつでも交換プロセスを停止することができる。さらに、グラフィックスフォーマットの使用により、機器による分析及びその後における第三者による個人データの処理ができないようになっている。
【図面の簡単な説明】
【００１５】
【図１】本発明の方法のフローチャートである。
【図２】４２個の部分に分割された情報のマージングのステップ１〜ステップ３を示す図である。
【図３】図２からの情報マージングのステップ４〜ステップ６を示す図である。
【図４】図２からの情報マージングのステップ７〜ステップ９を示す図である。
【図５】図２からの情報マージングのステップ２２〜ステップ２４を示す図である。
【図６】図２からの情報マージングのステップ３７〜ステップ３９を示す図である。
【図７】図２からの情報マージングのステップ４０〜ステップ４２を示す図である。
【図１】
2007523510.tif 000003
【図２】
2007523510.tif 000004
【図３】
2007523510.tif 000005
【図４】
2007523510.tif 000006
【図５】
2007523510.tif 000007
【図６】
2007523510.tif 000008
【図７】
2007523510.tif 000009
【国際調査報告】
2007523510.tif 000010
2007523510.tif 000011
2007523510.tif 000012
2007523510.tif 000013